(57)【要約】【課題】携帯電話機からＩＳＰへのダイヤルアップ接続時間を短縮する。【解決手段】携帯電話機１と携帯電話ネットワークシステム３の間の無線回線の確立後に通常実施するＰＰＰ確立手順の一部を、無線回線確立の手順中に実施する。具体的には、ＰＰＰ確立時に通常実施するユーザ認証処理やＩＰ通信に必要なＩＰアドレス／ＤＮＳ（Domain Name System）サーバのアドレス等のアドレス情報の受け渡し処理を、携帯電話機１による無線回線確立中に使用する制御信号を利用することで実施する。【選択図】      図１
2004201087.tif 000002
【特許請求の範囲】
【請求項１】
ユーザが携帯電話機からインターネットサービスプロバイダに対してダイヤルアップする際に、前記携帯電話機と携帯電話ネットワークシステム間の無線回線確立手順を実施した後、確立された無線回線上でさらにＰＰＰおよびＩＰの上位プロトコルの確立手順を実施する、携帯電話機によるダイヤルアップ接続方法において、
前記無線回線確立時に、前記インターネットサービスプロバイダのデフォルトゲートウェイにより前記ユーザのユーザ認証を行うことを特徴とする、携帯電話機によるダイヤルアップ接続方法。
【請求項２】
前記無線回線確立時に、前記携帯電話機と前記携帯電話ネットワークシステム間で、ＩＰアドレス、ＤＮＳアドレス、前記インターネットサービスプロバイダのデフォルトゲートウェイのアドレスを含むアドレス情報の受け渡しを行うことを特徴とする、請求項１に記載の携帯電話機によるダイヤルアップ接続方法。
【請求項３】
前記ユーザが前記携帯電話機からインターネットサービスプロバイダに対してダイヤルアップする際に、前記携帯電話機から前記携帯電話ネットワークシステムを介して携帯電話事業者のネットワーク内のアクセスサーバに対してダイヤルアップ接続を行うことを特徴とする、請求項２に記載の携帯電話機によるダイヤルアップ接続方法。
【請求項４】
前記携帯電話機が、事前に、前記インターネットサービスプロバイダに対し、ユーザアカウント名を含むユーザ情報と共に、使用するＳＩＭ番号を登録し、
前記携帯電話機が、前記無線回線確立時に、該無線回線確立時に使用する制御信号の中に、ユーザアカウント名、アクセスポイント名を含む情報を付加して前記携帯電話ネットワークシステムに対して送信し、
前記携帯電話ネットワークシステムが、前記携帯電話機から受信した前記制御信号に付加された前記アクセスポイント名から判断した前記インターネットサービスプロバイダのデフォルトゲートウェイに対し、前記アクセスサーバを経由して、ユーザアカウント名、ＳＩＭ番号を送信し、
前記インターネットサービスプロバイダのデフォルトゲートウェイが、前記携帯電話ネットワークシステムから受信したユーザアカウント名、ＳＩＭ番号に基づいて、前記ユーザが自身のインターネットサービスプロバイダの登録者であるか否かの認証を行い、該認証結果に基づくダイヤルアップ接続の可否を前記アクセスサーバを経由して前記携帯電話ネットワークシステムに対して通知することを特徴とする、請求項３に記載の携帯電話機によるダイヤルアップ接続方法。
【請求項５】
前記携帯電話ネットワークシステムが、前記無線回線確立時に、前記インターネットサービスプロバイダのデフォルトゲートウェイからダイヤルアップ接続が可である旨が通知された場合、前記無線回線確立時に使用する制御信号の中に前記アドレス情報を付加して前記携帯電話機に対して送信することを特徴とする、請求項４に記載の携帯電話機によるダイヤルアップ接続方法。
【請求項６】
前記携帯電話機が、前記無線回線確立時に、前記携帯電話ネットワークシステムから受信した前記制御信号に付加された前記アドレス情報を保存することを特徴とする、請求項５に記載の携帯電話機によるダイヤルアップ接続方法。
【請求項７】
前記携帯電話機および前記携帯電話ネットワークシステムは、ＩＭＴ−２０００で規格されたシステムであることを特徴とする、請求項１から６のいずれか１項に記載の携帯電話機によるダイヤルアップ接続方法。
【請求項８】
前記携帯電話機および前記携帯電話ネットワークシステムは、ＧＰＲＳに適用されるシステムであることを特徴とする、請求項１から６のいずれか１項に記載の携帯電話機によるダイヤルアップ接続方法。
【発明の詳細な説明】
【０００１】
【発明の属する技術分野】
本発明は、携帯電話機からＩＳＰ（Internet Services Provider；インターネットサービスプロバイダ）へダイヤルアップ接続を行うための、携帯電話機によるダイヤルアップ接続方法に関する。
【０００２】
【従来の技術】
一般に、ユーザが携帯電話機を用いてインターネットの閲覧やインターネットからファイルのダウンロードを実施する場合には、ＩＳＰを利用してインターネットに接続することが多い。
【０００３】
その際、携帯電話機から必要なＩＳＰへのダイヤルアップ接続（パケット接続）を行うことになるが、最近では、このダイヤルアップ接続時間を短縮するための様々な方法が検討されている（例えば、特許文献１参照）。
【０００４】
特許文献１に記載された方法は、ＩＴＵ−Ｔ勧告Ｈ．３２３に準拠したＨ．３２３端末がＰＨＳを利用してダイヤルアップ接続を行う際に、ＰＨＳ回線の接続後の交渉で必要になる情報を、ＰＨＳ回線の接続直後に呼制御メッセージの１つである“User Information”メッセージを利用して予め伝送する。この方法によれば、後続の交渉を省略することができるため、ダイヤルアップ接続に要する時間を短縮することができるという効果がある。
【０００５】
【特許文献１】
特開２００２−２３２４９７号公報
【０００６】
【発明が解決しようとする課題】
しかしながら、上述した特許文献１に記載された方法においては、通常発呼（ダイヤルアップ）時には使用されない“User Information”メッセージを利用して、ＰＨＳ回線の接続後のＰＰＰ（Point to Point Protocol）確立処理等の交渉で必要になる情報を送信している。
【０００７】
そのため、通常発呼時に余計なメッセージを送受信する必要があり、その送受信分の時間だけダイヤルアップ接続時間が増大してしまうという問題点がある。
【０００８】
また、上述した特許文献１に記載された方法においては、発呼側のＨ．３２３端末において、“Connect”メッセージを受信した後に、ＰＰＰ確立情報が格納された“User Information”メッセージを送信し、着呼側から“User Information”メッセージを受信している。
【０００９】
そのため、図６および図７に示すように、サーバ６１側で携帯電話機６０のユーザを認証するためのユーザ認証として、図６のＰＡＰ（Password Authentication Protocol）認証を行うことは可能であるが、“User Information”メッセージをさらに追加しない限り、図７のＣＨＡＰ（Challenge Handshake Authentication Protocol）認証を行うことができないという問題点がある。
【００１０】
なお、一般的なユーザ認証としては、携帯電話機からパスワードを平文で通信回線に乗せてサーバ側に送信するＰＡＰ認証ではなく、パスワード自体を通信回線に乗せないＣＨＡＰ認証が用いられることが多い。
【００１１】
本発明の目的は、携帯電話機からＩＳＰへのダイヤルアップ接続時間を短縮することができる、携帯電話機によるダイヤルアップ接続方法を提供することにある。
【００１２】
本発明の他の目的は、通常発呼時に使用されないメッセージを利用することで携帯電話機からＩＳＰへのダイヤルアップ接続時間が増大することを回避することができる、携帯電話機によるダイヤルアップ接続方法を提供することにある。
【００１３】
本発明のさらに他の目的は、ＣＨＡＰ認証のように、ユーザのパスワード自体を通信回線に乗せずにユーザ認証を行うことができる、携帯電話機によるダイヤルアップ接続方法を提供することにある。
【００１４】
【課題を解決するための手段】
上記目的を達成するために本発明の携帯電話機によるダイヤルアップ接続方法は、
ユーザが携帯電話機からインターネットサービスプロバイダに対してダイヤルアップする際に、前記携帯電話機と携帯電話ネットワークシステム間の無線回線確立手順を実施した後、確立された無線回線上でさらにＰＰＰおよびＩＰの上位プロトコルの確立手順を実施する、携帯電話機によるダイヤルアップ接続方法において、
前記無線回線確立時に、前記インターネットサービスプロバイダのデフォルトゲートウェイにより前記ユーザのユーザ認証を行うことを特徴とする。
【００１５】
また、前記無線回線確立時に、前記携帯電話機と前記携帯電話ネットワークシステム間で、ＩＰアドレス、ＤＮＳアドレス、前記インターネットサービスプロバイダのデフォルトゲートウェイのアドレスを含むアドレス情報の受け渡しを行うことを特徴とする。
【００１６】
また、前記ユーザが前記携帯電話機からインターネットサービスプロバイダに対してダイヤルアップする際に、前記携帯電話機から前記携帯電話ネットワークシステムを介して携帯電話事業者のネットワーク内のアクセスサーバに対してダイヤルアップ接続を行うことを特徴とする。
【００１７】
また、前記携帯電話機が、事前に、前記インターネットサービスプロバイダに対し、ユーザアカウント名を含むユーザ情報と共に、使用するＳＩＭ番号を登録し、
前記携帯電話機が、前記無線回線確立時に、該無線回線確立時に使用する制御信号の中に、ユーザアカウント名、アクセスポイント名を含む情報を付加して前記携帯電話ネットワークシステムに対して送信し、
前記携帯電話ネットワークシステムが、前記携帯電話機から受信した前記制御信号に付加された前記アクセスポイント名から判断した前記インターネットサービスプロバイダのデフォルトゲートウェイに対し、前記アクセスサーバを経由して、ユーザアカウント名、ＳＩＭ番号を送信し、
前記インターネットサービスプロバイダのデフォルトゲートウェイが、前記携帯電話ネットワークシステムから受信したユーザアカウント名、ＳＩＭ番号に基づいて、前記ユーザが自身のインターネットサービスプロバイダの登録者であるか否かの認証を行い、該認証結果に基づくダイヤルアップ接続の可否を前記アクセスサーバを経由して前記携帯電話ネットワークシステムに対して通知することを特徴とする。
【００１８】
また、前記携帯電話ネットワークシステムが、前記無線回線確立時に、前記インターネットサービスプロバイダのデフォルトゲートウェイからダイヤルアップ接続が可である旨が通知された場合、前記無線回線確立時に使用する制御信号の中に前記アドレス情報を付加して前記携帯電話機に対して送信することを特徴とする。
【００１９】
また、前記携帯電話機が、前記無線回線確立時に、前記携帯電話ネットワークシステムから受信した前記制御信号に付加された前記アドレス情報を保存することを特徴とする。
【００２０】
また、前記携帯電話機および前記携帯電話ネットワークシステムは、ＩＭＴ−２０００で規格されたシステムであることを特徴とする。
【００２１】
また、前記携帯電話機および前記携帯電話ネットワークシステムは、ＧＰＲＳに適用されるシステムであることを特徴とする。
【００２２】
（作用）
本発明においては、ＰＰＰ確立時に通常実施するインターネットサービスプロバイダによるユーザ認証処理や、ＩＰ通信に必要なＩＰアドレス等のアドレス情報の受け渡し処理を、無線回線確立時に実施することとしている。
【００２３】
それにより、ＰＰＰ確立の時間を短縮することが可能となり、結果的にダイヤルアップ接続時間を短縮することが可能となる。
【００２４】
【発明の実施の形態】
以下に、本発明の実施の形態について図面を参照して説明する。なお、以下の記載では、第３世代の携帯電話機（ＩＭＴ−２０００（International Mobile Telecommunication 2000）方式）を用いてＩＳＰ（Internet Services Provider；インターネットサービスプロバイダ）へのダイヤルアップ接続を行う場合を例に挙げて説明する。
【００２５】
図１は、本発明の一実施形態の携帯電話機によるダイヤルアップ接続方法が適用されるダイヤルアップ接続システムの一例を示す図である。
【００２６】
図１に示したダイヤルアップ接続システムは、携帯電話機１と、アクセスサーバ２と、携帯電話ネットワークシステム３と、ＩＳＰゲートウェイ４と、通信回線５と、専用回線６と、専用回線７と、インターネット網８とを含んでいる。
【００２７】
携帯電話機１は、ユーザが使用する携帯電話機であり、パケットの発信機能を備えている。
【００２８】
携帯電話ネットワークシステム３は、不図示の基地局、交換機、加入者情報管理ノードを含んでいる。
【００２９】
アクセスサーバ２は、携帯電話事業者のネットワーク内にあるサーバであり、携帯電話機１のユーザは、携帯電話ネットワークシステム３を介してアクセスサーバ２に対してダイヤルアップ接続を行う。なお、アクセスサーバ２と携帯電話ネットワークシステム３は専用回線７により接続されている。また、携帯電話機１のユーザはアクセスサーバ２に対してパケット接続を実施する際に通信回線５を使用するが、通信回線５は、実際は、携帯電話機１と携帯電話ネットワークシステム３間の無線回線と、携帯電話ネットワークシステム３とアクセスサーバ間２の専用回線７から成っている。
【００３０】
ＩＳＰゲートウェイ４は、一般のＩＳＰのゲートウェイサーバであり、アクセスサーバ２と専用回線６により接続されるとともに、一般のインターネット網８を介して不図示のＩＳＰに接続されている。
【００３１】
以下、図１に示したダイヤルアップ接続システムを用いた本実施形態の携帯電話機によるダイヤルアップ接続方法について説明する。
【００３２】
携帯電話機１からＩＳＰへのダイヤルアップ接続を実施する際には、まず、ＩＭＴ−２０００で規定されているパケット呼（レイヤー１の無線回線）を確立した後に、その確立された無線回線上で、その上位プロトコルであるＰＰＰ（Point to Point Protocol）およびＩＰ（Internet Protocol）を確立する必要がある。
【００３３】
本実施形態は、本来、無線回線の確立後に実施するＰＰＰ確立手順の一部を、ＩＭＴ−２０００で規定されている無線回線確立の手順中に実施するものである。具体的には、ＰＰＰ確立時に通常実施するユーザ認証処理や、ＩＰ通信に必要なＩＰアドレス／ＤＮＳ（Domain Name System）サーバのアドレス等のアドレス情報の受け渡し処理を、携帯電話機１によるパケット呼（レイヤー１の無線回線）確立中に使用する制御信号を利用することで実施する。
【００３４】
それにより、ＰＰＰ確立の時間を短縮することが可能となり、結果的にユーザが携帯電話機１からダイヤルアップ接続要求を出してから、インターネット網８上のコンテンツを参照するなど、実際に通信が開始されるまでの時間を短縮することが可能となる。なお、携帯電話機１がダイヤルアップ接続を実施する際のプロトコル階層図は図２のようになっており、このうち最下層のレイヤーを本明細書では“レイヤー１”と記載している。また、図２に示したようなプロトコルの階層構造は、ＯＳＩ（Open Systems Inter connection）で規定されている。
【００３５】
ここで、本実施形態の携帯電話機によるダイヤルアップ接続方法について詳細に説明する。
【００３６】
図３は、本実施形態の携帯電話機によるダイヤルアップ接続方法のパケット呼（レイヤー１の無線回線）確立手順を説明するフローチャートである。携帯電話機１のユーザは、名前、住所、ユーザアカウント名、クレジットカード番号等のユーザ情報を事前にＩＳＰに登録し、さらにその際に使用するＳＩＭ（Subscriber Identity Module）の番号も事前にＩＳＰに登録しているものとする。また、携帯電話機１がダイヤルアップ接続を実施する際に使用する通信ソフトウェアは、携帯電話機１に内蔵されているものでも良く、また、携帯電話機１に接続されているパーソナルコンピュータ上で使用するものでも良いものとする。
【００３７】
携帯電話機１がダイヤルアップ接続を実施する際には、まず、ＩＭＴ−２０００で規定されているパケット呼（レイヤー１の無線回線）を確立するために、ＲＲＣ（Radio Resource Control）の確立手順が行われる（ステップ３０１）。
【００３８】
このＲＲＣの確立の際には、最初に、携帯電話機１から携帯電話ネットワークシステム３に対してＩＳＰへのダイヤルアップ接続要求が行われ（ステップ３０２）、続いて、携帯電話機１と携帯電話ネットワークシステム３間で、所定の認証手順およびＳＥＣＵＲＩＴＹ手順が順次行われる（ステップ３０３，３０４）。なお、ステップ３０３にて行われる認証処理は一般のパケット呼確立の際に実施される認証処理であり、ＰＰＰ確立時に通常実施されるＩＳＰによる認証処理とは異なる。また、ステップ３０３にて行われる認証処理の結果は、携帯電話ネットワークシステム３からアクセスサーバ２に対して送信される。
【００３９】
次に、携帯電話機１は、制御信号である“ACTIVATE PDP CONTEXT REQUEST”（図４（ａ））の要素“Access point name”の中に、ユーザアカウント名、アクセスポイント名（接続するＩＳＰ名）等のＰＰＰ確立に必要な情報を付加し、携帯電話ネットワークシステム３に対して送信する（ステップ３０５）。例えば、ユーザアカウント名およびアクセスポイント名については、「ユーザアカウント名＠アクセスポイント名」のように設定すると、携帯電話ネットワークシステム３側では、“ユーザアカウント名”、“アクセスポイント名”を判断することができる。
【００４０】
携帯電話ネットワークシステム３は、携帯電話機１から“ACTIVATE PDP CONTEXT REQUEST”を受信すると、その要素“Access point name”中に含まれている“アクセスポイント名”から判断したＩＳＰのデフォルトゲートウェイ（ここでは、ＩＳＰゲートウェイ４）に対し、アクセスサーバ２経由で“ユーザアカウント名”と“ＳＩＭ番号”を通知する。なお、ＳＩＭ番号については、携帯電話機１が無線接続する時点で、携帯電話ネットワークシステム３にとって既知であるが、携帯電話ネットワークシステム３の対応の簡易性を考慮して、ステップ３０５において、携帯電話機１が“ACTIVATE PDP CONTEXT REQUEST”に含め携帯電話ネットワークシステム３に通知することとしても良い。
【００４１】
ＩＳＰゲートウェイ４は、携帯電話ネットワークシステム３からアクセスサーバ２経由で“ユーザアカウント名”と“ＳＩＭ番号”を受信すると、その“ユーザアカウント名”と“ＳＩＭ番号”から、そのユーザが自身のＩＳＰの登録者であるか否かの認証を行い、その認証結果に基づくダイヤルアップ接続の可否をアクセスサーバ２経由で携帯電話ネットワークシステム３に対して通知する。本来、このようなＩＳＰによるユーザの認証処理は、携帯電話機１のパケット呼（レイヤー１の無線回線）確立手順が終わった後、図５（ａ）に示すように、ＰＰＰの確立手順のステップ５０２におけるユーザ認証処理時に実施される。
【００４２】
ＩＳＰゲートウェイ４からアクセスサーバ２経由で携帯電話ネットワークシステム３に対してダイヤルアップ接続が可である旨が通知されると、携帯電話機１と携帯電話ネットワークシステム３間では、ＲＡＢ（Radio Access Bearer）確立手順が行われる（ステップ３０６）。
【００４３】
さらに、携帯電話ネットワークシステム３は、制御信号である“ACTIVATE PDPCONTEXT ACCEPT”（図４（ｂ））の要素“PDP address”の中に、ＩＰアドレス、ＤＮＳアドレス、デフォルトゲートウェイ（ここでは、ＩＳＰゲートウェイ４）のアドレス等のＰＰＰ確立やその後のＩＰ通信に必要となるアドレス情報を付加し、携帯電話機１に対して送信する（ステップ３０７）。本来、このようなアドレス情報の受け渡し処理は、携帯電話機１のパケット呼（レイヤー１の無線回線）確立手順が終わった後、図５（ａ）に示すように、ＰＰＰの確立手順のステップ５０３におけるＩＰＣＰ（Internet Protocol Control Protocol）の交渉処理時に実施される。
【００４４】
なお、携帯電話ネットワークシステム３が“ACTIVATE PDP CONTEXT ACCEPT”に付加するアドレス情報は、ＩＳＰと携帯電話事業者が互いに参照可能なデータベース等で管理しているアドレスを使用する必要がある。なぜなら、携帯電話機１に割り当てるＩＰアドレス等は、ＩＳＰによって異なるためである。また、このアドレス情報は、携帯電話機１内部の記憶領域に保存される。
【００４５】
以上のステップ３０１〜３０７の処理により携帯電話機１のパケット呼（レイヤー１の無線回線）が確立し、以降、携帯電話機１と携帯電話ネットワークシステム３の間では、パケット通信が可能になる（ステップ３０８）。
【００４６】
上述したように本実施形態においては、携帯電話機１のパケット呼（レイヤー１の無線回線）確立中に、ＩＳＰによるユーザ認証とＩＰアドレス等のアドレス情報の受け渡しを実施している。
【００４７】
従って、ＰＰＰ確立時には、図５（ｂ）に示すように、通常のＰＰＰ確立手順ではステップ５０２，５０３にて実施されていたユーザ認証処理とＩＰＣＰの交渉処理が削減され、ステップ５０１にてＬＣＰ（Link Control Protocol）の交渉処理を行うだけでＰＰＰが確立され、ステップ５０４にてＰＰＰ通信を開始することができる。これにより、ＰＰＰ確立の時間を短縮することが可能となり、結果的にダイヤルアップ接続時間を短縮することに繋がると考えられる。
【００４８】
また、本実施形態においては、通常発呼（ダイヤルアップ）時にも使用される制御信号（“ACTIVATE PDP CONTEXT REQUEST”、“ACTIVATE PDP CONTEXT ACCEPT”）中にＰＰＰ確立に必要な情報を付加しているため、通常発呼時に余計な信号を送受信することでダイヤルアップ接続時間が増大してしまうことが回避される。
【００４９】
また、本実施形態においては、ユーザがユーザアカウント名やＳＩＭの番号を事前にＩＳＰに通知しておき、このユーザアカウント名やＳＩＭの番号を利用してＩＳＰゲートウェイ側で認証を行っているため、ＣＨＡＰ認証のように、ユーザのパスワード自体を通信回線に乗せずにユーザ認証を行うことができる。
【００５０】
なお、本実施形態においては、第３世代の携帯電話機（ＩＭＴ−２０００方式）を用いてダイヤルアップ接続を行う場合を例に挙げて説明したが、本発明はこれに限定されず、ＧＰＲＳ（General Packet Radio Service）等、携帯電話機および携帯電話ネットワークシステム間で同様の制御信号のやり取りを行う他のシステムにも適用可能なものである。
【００５１】
【発明の効果】
以上説明したように本発明においては、ＰＰＰ確立時に通常実施するインターネットサービスプロバイダによるユーザ認証処理や、ＩＰ通信に必要なＩＰアドレス等のアドレス情報の受け渡し処理を、無線回線確立時に実施することとしているため、携帯電話機からダイヤルアップ接続を実施した時から、ユーザがインターネットのコンテンツを取得する等、実際に上位アプリケーションの通信が行われるまでの時間を短縮することができるという効果がある。
【００５２】
また、通常発呼（ダイヤルアップ）時にも使用される制御信号中にＰＰＰ確立に必要な情報を付加しているため、通常発呼時に余計な信号を送受信することでダイヤルアップ接続時間が増大してしまうことが回避されるという効果がある。
【００５３】
また、ユーザがユーザアカウント名やＳＩＭの番号を事前にインターネットサービスプロバイダに通知しておき、このユーザアカウント名やＳＩＭの番号を利用してインターネットサービスプロバイダのデフォルトゲートウェイ側で認証を行っているため、ＣＨＡＰ認証のように、ユーザのパスワード自体を通信回線に乗せずにユーザ認証を行うことができるという効果がある。
【図面の簡単な説明】
【図１】本実施形態の携帯電話機によるダイヤルアップ接続方法が適用されるダイヤルアップ接続システムの一例を示す図である。
【図２】本実施形態の携帯電話機によるダイヤルアップ接続方法におけるプロトコルの階層図である。
【図３】本実施形態の携帯電話機によるダイヤルアップ接続方法のパケット呼確立手順を説明するフローチャートである。
【図４】本実施形態の携帯電話機によるダイヤルアップ接続方法のパケット呼確立手順において、携帯電話機と携帯電話ネットワークシステム間でやり取りされる制御信号の一例を示す図である。
【図５】本実施形態の携帯電話機によるダイヤルアップ接続方法のＰＰＰ確立手順を説明するフローチャートである。
【図６】ＰＡＰ認証手順を説明する図である。
【図７】ＣＨＡＰ認証手順を説明する図である。
【符号の説明】
１    携帯電話機
２    アクセスサーバ
３    携帯電話ネットワークシステム
４    ＩＳＰゲートウェイ
５    通信回線
６    専用回線
７    専用回線
８    インターネット網
【図１】
2004201087.tif 000003
【図２】
2004201087.tif 000004
【図３】
2004201087.tif 000005
【図４】
2004201087.tif 000006
【図５】
2004201087.tif 000007
【図６】
2004201087.tif 000008
【図７】
2004201087.tif 000009